(57)【要約】【課題】開発費用を低く抑えた、ホコリ付着に対して性能劣化しにくく、組み立て性の良い、安定してオゾンを発生させることができるオゾン発生器を提供する。           【解決手段】本発明のオゾン発生器は、開口部１を有した樹脂製のカバー２と、この樹脂製のカバー２の開口部１側に設けられる放電線３と、この放電線３を張設可能とする引っ掛け穴の付いた丸型端子４を放電線３両端に圧着した放電線組５と、該放電線組５に電圧を供給する電源供給板６と、この放電線組５と対向した対向電極７を有したオゾン発生装置８を樹脂製のベース９に装着し、このオゾン発生装置８を構成する前記放電線組５にマイナス極１０が接続され、前記対向電極にアース極１１が接続されるように形成した高電圧印加装置１２を備える。【選択図】図１
2008115044.tif 000002
【特許請求の範囲】
【請求項１】
開口部を有した樹脂製のカバーと、このカバーの開口部側に設けられる放電線と、この放電線を張設可能とする引っ掛け穴の付いた丸型端子を放電線両端に圧着した放電線組と、該放電線組に電圧を供給する電源供給板と、この放電線組と対向した対向電極を有したオゾン発生装置を樹脂製のベースに装着し、このオゾン発生装置を構成する前記放電線組にマイナス極が接続され、前記対向電極にアース極が接続されるように形成した高電圧印加装置を備え、また前記樹脂製のカバーの長手方向両側には取付ステーを設け、滅菌及び脱臭の必要な機器に配設可能とした小型オゾン発生器。
【請求項２】
電源供給板と対向電極は、それぞれ複数の接続端子を設けたことを特徴とする請求項１記載の小型オゾン発生器。
【請求項３】
電源供給板は、放電線組を引っ掛けるコの字形状の端子引掛部を設けたことを特徴とする請求項１又は２に記載の小型オゾン発生器。
【請求項４】
オゾン発生ユニットを高電圧印加装置と分離して設置したことを特徴とする請求項１〜３いずれかに記載の小型オゾン発生器。
【請求項５】
放電線組に張力を持たせる固定用部材を、板状のバネ材で形成し、電源供給板の反対側に設けた、あるいは該電源供給板に直接取付けたことを特徴とする請求項１〜４いずれかに記載の小型オゾン発生器。
【請求項６】
放電線組に張力を持たせる固定用部材を、線状のバネ材でコイル状に形成し、前記電源供給板の反対側に設けたたことを特徴とする請求項１〜４いずれかに記載の小型オゾン発生器。
【請求項７】
放電線と対向電極の距離は、該放電線と樹脂製のカバー及びベースの樹脂部との距離よりも、小さいことを特徴とする請求項１〜６いずれかに記載の小型オゾン発生器。
【請求項８】
樹脂製のベースのバネ引っ掛け部のピン形状を、円錐状に形成し平行溝あるいは丸穴を設けたことを特徴とする請求項６記載の小型オゾン発生器。
【請求項９】
開口部を有した樹脂製のカバーに、脱臭フィルターを装着したことを特徴とする請求項１〜８いずれかに記載の小型オゾン発生器。
【請求項１０】
開口部を有した樹脂製のカバーに、集塵フィルターを装着したことを特徴とする請求項１〜９いずれかに記載の小型オゾン発生器。
【請求項１１】
放電線組及び電源供給板で形成される高電圧側と、アース極に接続された対向電極側を、放電部を除いて、樹脂製のベースにより完全に分離したことを特徴とする請求項１〜１０いずれかに記載の小型オゾン発生器。
【請求項１２】
樹脂製のベースに、リード線引き回しのための溝を形成した隔壁を設け、樹脂製のカバーを組み付けた時、該隔壁部を該樹脂製のカバーで覆うことを特徴とする請求項１〜１１いずれかに記載の小型オゾン発生器。
【請求項１３】
放電線組と対向した対向電極の長手方向両側に、放電線組との間隔を狭くするような振れ止めリブを、樹脂製のベースに形成したことを特徴とする請求項１〜１２いずれかに記載の小型オゾン発生器。
【請求項１４】
樹脂製のベースに突起を設け、放電線組を形成する丸型端子の水平面部を該突起の水平面部と接触させることを特徴とする請求項１〜１３いずれかに記載の小型オゾン発生器。
【請求項１５】
放電部を独立発泡で、中が空洞の柱状のゴムで囲み、一端の開口部を樹脂製のベースに接触させ、他端の開口部を、樹脂製のカバーの開口部と一致させ、オゾン発生部を隔離したことを特徴とする請求項１〜１４いずれかに記載の小型オゾン発生器。
【請求項１６】
樹脂製のベースの反挿入側の側面と、開口部を有した樹脂製のカバーの挿入側の側面に、パッキンを接触させ、樹脂製あるいは金属製の押え板で押して、シールしたことを特徴とする請求項１〜１５いずれかに記載の小型オゾン発生器。
【請求項１７】
開口部を有した樹脂製のカバーの反挿入側の側面と、樹脂製あるいは金属製の押え板に引っ掛け部を設け、該引っ掛け部を樹脂製あるいは金属製のバンドにより引き寄せ、シールしたことを特徴とする請求項１６記載の小型オゾン発生器。
【発明の詳細な説明】
【技術分野】
【０００１】
本発明は、滅菌及び脱臭の必要な機器に配設可能とした小型オゾン発生器。
【背景技術】
【０００２】
従来、オゾン発生器としては、消臭・殺菌装置として開発された、焼結され圧延された酸化チタンで形成された筒状電極と、そのほぼ中心線上に位置する針状電極とを、有したタイプのものが知られている（例えば、特許文献１参照）。
【０００３】
従来のこの装置は、図２２に示すように、前記針状電極１０１と筒状電極１０２の電極間に、高周波・高電圧の直流を印加すると、針状電極１０１が放電し、紫外線を含む光線を発生する。いわゆる無声放電が行われ、オゾン及びイオンを発生する。
【特許文献１】特開平１１−６０２０８号公報
【発明の開示】
【発明が解決しようとする課題】
【０００４】
このような従来のオゾン発生器では、酸化チタンという特殊な材料で、かつ焼結、圧延という特殊な製法により製造された素材である酸化チタンを、共に使用した筒状電極１０２と針状電極１０１とを使用しているため、開発費用が膨大となり、また針状電極１０１の先端１０３へのホコリ付着により、該先端１０３からの放電ができにくくなり、安定した性能発揮が、期待できにくいなどの課題がある。
【課題を解決するための手段】
【０００５】
本発明のオゾン発生器は、上記目的を達成するために、開口部を有し、長手方向両側に取付ステーを設けた樹脂製のカバーと、このカバーの開口部側に設けられる放電線と、この放電線を張設可能とする引っ掛け穴の付いた丸型端子を放電線両端に圧着した放電線組と、該放電線組に電圧を供給する電源供給板と、この放電線組と対向した対向電極を有したオゾン発生装置を樹脂製のベースに装着し、このオゾン発生装置を構成する前記放電線組にマイナス極が接続され、前記対向電極にアース極が接続されるように形成した高電圧印加装置を備えたものである。
【０００６】
この手段により、マイナス極に接続した放電線組に、製造コストが安価な一般的な線材を使用することができ、また該放電線組に対向した電極にも一般的なステンレス鋼板を採用することができるため、開発費用を低く抑えることができ、また放電が放電線の線材長手方向と、対向電極の鋼板面とで起こるため、放電部が長く、一部にホコリが付着しても、放電が阻害されにくい構造となり、安定してオゾンを発生させることができることに加え、樹脂製のカバーの長手方向両側に取付ステーを設けたことにより、滅菌及び脱臭の必要な機器に配設可能とすることができるうえ、取り外して洗浄することもできる。
【０００７】
また、他の手段は、放電線組に電圧を供給する電源供給板と、この放電線組と対向した対向電極に、複数の接続端子を設けたことにより、複数のオゾン発生ユニットを連結することができるため、該オゾン発生ユニット単体による少量のオゾン発生から、複数個連結による多量のオゾン発生まで簡単に対応することができる。
【０００８】
また、他の手段は、放電線組に電圧を供給する電源供給板に、電圧を供給すると共に、前記放電線組を支える引っ掛け形状を設けたことにより、簡単な構造で作業性も良く、確実に電圧を供給できるため、信頼性の高いオゾン発生器を提供することができる。  
【０００９】
また、他の手段は、オゾン発生ユニットを高電圧印加装置と分離して設置したことにより、一つの高電圧印加装置を使って、一つのオゾン発生ユニットに高電圧を供給するように連結するか、あるいは複数のオゾン発生ユニットに連結することにより、該オゾン発生ユニット単体による少量のオゾン発生から、複数個連結による多量のオゾン発生まで簡単に対応することができる。
【００１０】
また、他の手段は、放電線組に張力を持たせる固定用部材を、板状のバネ材で形成し、電源供給板の反対側に設けた、あるいは該電源供給板に直接取付けたことにより、前記放電線組に確実に張力を持たせることができ、簡単な構造で作業性も良く確実に電圧を供給できるため、信頼性の高いオゾン発生器を提供することができる。  
【００１１】
また、他の手段は、放電線組に張力を持たせる固定用部材を、線状のバネ材でコイル状に形成し、前記電源供給板の反対側に設けたたことにより、前記放電線組に確実に張力を持たせることができ、簡単な構造で作業性も良く確実に電圧を供給できるため、信頼性の高いオゾン発生器を提供することができる。  
【００１２】
また、他の手段は、放電線と対向電極の距離は、該放電線と樹脂製のカバー及びベースの樹脂部との距離よりも、小さくすることにより、該放電線と該対向電極間で構成される放電部以外では、放電しないこととなり、また放電部以外のホコリ付着に対しても放電しにくい構成となり、信頼性の高いオゾン発生器を提供することができる。  
【００１３】
また、他の手段は、樹脂製ベースのバネ引っ掛け部のピン形状を、円錐状に形成し平行溝あるいは丸穴を設けたことにより、マイナスドライバーあるいは丸ピン等を使用し容易にバネを引っ掛けることができ、簡単な構造で作業性も良く、確実に電圧を供給できるため、信頼性の高いオゾン発生器を提供することができる。
【００１４】
また、他の手段は、開口部を有した樹脂製のカバーに、脱臭フィルターを装着したことにより、より効果的に脱臭することができる機能性の高いオゾン発生器を提供することができる。
【００１５】
また、他の手段は、開口部を有した樹脂製のカバーに、集塵フィルターを装着したことにより、集塵効果のある機能性の高いオゾン発生器を提供することができる。
【００１６】
また、他の手段は、放電線組及び電源供給板で形成される高電圧側と、アース極に接続された対向電極側を、放電部を除いて、樹脂製のベースにより完全に分離したことにより、放電部を除く高電圧側と対向電極側の沿面距離が長くなり、ホコリが付着しても放電部以外からは放電やトラッキングしにくい構造となり、安定してオゾンを発生させることができる。
【００１７】
また、他の手段は、樹脂製のベースに、リード線引き回しのための溝を形成した隔壁を設け、樹脂製のカバーを組み付けた時、該隔壁部を該樹脂製のカバーで覆うことにより、リード線の出口位置に制限されることなく、外部からのホコリ侵入を防止できるため、信頼性の高いオゾン発生器を提供することができる。
【００１８】
また、他の手段は、放電線組と対向した対向電極の長手方向両側に、放電線組との間隔を狭くするような振れ止めリブを、樹脂製のベースに形成したことにより、ホコリの侵入しにくい構造となり、安定してオゾンを発生させることができる。
【００１９】
また、他の手段は、樹脂製のベースに突起を設け、放電線組を形成する丸型端子の水平面部を、該突起の水平面部と接触させることにより、該丸型端子を水平に保持させることができ、簡単な構造で作業性も良く、丸型端子を確実に引っ掛けた安定した姿勢を保つことができるため、信頼性の高いオゾン発生器を提供することができる。    
【００２０】
また、他の手段は、放電部を独立発泡で、中が空洞の柱状のゴムで囲み、一端の開口部を樹脂製のベースに接触させ、他端の開口部を、樹脂製のカバーの開口部と一致させることにより、発生したオゾンが樹脂製のカバーの開口部以外から、漏れないようにすることができるため、オゾン発生器を配設した滅菌及び脱臭の必要な機器のオゾンを必要とする個所以外への、悪影響を防止できる。
【００２１】
また、他の手段は、開口部を有した樹脂製カバーの反挿入側の側面と、樹脂製あるいは金属製の押え板に引っ掛け部を設け、該引っ掛け部を樹脂製あるいは金属製のバンドにより引き寄せ、シールしたことにより、  発生したオゾンが樹脂製のカバーの開口部以外から、漏れないようにすることができるため、オゾン発生器を配設した滅菌及び脱臭の必要な機器のオゾンを必要とする個所以外への、悪影響を防止できる。
【発明の効果】
【００２２】
本発明によれば、低い開発費用で、信頼性の高いオゾン発生器を提供することができる。
【発明を実施するための最良の形態】
【００２３】
本発明の請求項１記載のオゾン発生器は、製造コストが安価な一般的な線材を使用した放電線組にマイナス極を接続し、該放電線組に対向した電極に一般的なステンレス鋼板を採用することで、開発費用を低く抑えることができ、また放電が放電線の線材長手方向と、対向電極の鋼板面とで起こるため、放電部が長く、一部にホコリが付着しても放電が阻害されにくく、ホコリ付着に対して性能劣化しにくい構造となり、安定してオゾンを発生させることができることに加え、樹脂製のカバーの長手方向両側に取付ステーを設けたことにより、滅菌及び脱臭の必要な機器に配設可能とすることができるうえ、取り外して洗浄することもできるという作用を有する。                  
【００２４】
また、請求項２記載の発明は、放電線組に電圧を供給する電源供給板と、この放電線組と対向した対向電極に、複数の接続端子を設けたことにより、複数のオゾン発生ユニットを連結することができるため、該オゾン発生ユニット単体による少量のオゾン発生から、複数個連結による多量のオゾン発生まで簡単に対応することができるという作用を有する。
【００２５】
また、請求項３記載の発明は、放電線組に電圧を供給する電源供給板に、電圧を供給すると共に、前記放電線組を支える、引っ掛けるコの字形状の端子引掛部を設けたことにより、簡単な構造で作業性も良く確実に電圧を供給できるため、信頼性の高いオゾン発生器を提供することができるという作用を有する。  
【００２６】
また、請求項４記載の発明は、オゾン発生ユニットを高電圧印加装置と分離して設置したことにより、複数の該オゾン発生ユニットを連結することができるため、該オゾン発生ユニット単体による少量のオゾン発生から、複数個連結による多量のオゾン発生まで簡単に対応することができるという作用を有する。
【００２７】
また、請求項５記載の発明は、放電線組に張力を持たせる固定用部材を、板状のバネ材で形成し、電源供給板の反対側に設けた、あるいは該電源供給板に直接取付けたことにより、前記放電線組に確実に張力を持たせることができ、簡単な構造で作業性も良く、確実に電圧を供給できるため、信頼性の高いオゾン発生器を提供することができるという作用を有する。  
【００２８】
また、請求項６記載の発明は、放電線組に張力を持たせる固定用部材を、線状のバネ材でコイル状に形成し、前記電源供給板の反対側に設けたたことにより、前記放電線組に確実に張力を持たせることができ、簡単な構造で作業性も良く確実に電圧を供給できるため、信頼性の高いオゾン発生器を提供することができるという作用を有する。  
【００２９】
また、請求項７記載の発明は、放電線と対向電極の距離は、該放電線と樹脂製のカバー及びベースの樹脂部との距離よりも、小さくすることにより、該放電線と該対向電極間で構成される放電部以外では、放電しないこととなり、また放電部以外のホコリ付着に対しても放電しにくい構成となり、信頼性の高いオゾン発生器を提供することができるという作用を有する。
【００３０】
また、請求項８記載の発明は、樹脂製ベースのバネ引っ掛け部のピン形状を、円錐状に形成し平行溝あるいは丸穴を設けたことにより、マイナスドライバーあるいは丸ピン等を使用し容易にバネを引っ掛けることができ、簡単な構造で作業性も良く信頼性の高いオゾン発生器を提供することができるという作用を有する。
【００３１】
また、請求項９記載の発明は、開口部を有した樹脂製のカバーに、脱臭フィルターを装着したことにより、より効果的に脱臭することができる機能性の高いオゾン発生器を提供することができるという作用を有する。
【００３２】
また、請求項１０記載の発明は、開口部を有した樹脂製のカバーに、集塵フィルターを装着したことにより、集塵効果のある機能性の高いオゾン発生器を提供することができるという作用を有する。
【００３３】
また、請求項１１記載の発明は、放電線組及び電源供給板で形成される高電圧側と、アース極に接続された対向電極側を、放電部を除いて、樹脂製のベースにより完全に分離したことにより、放電部を除く高電圧側と対向電極側の沿面距離が長くなり、ホコリが付着しても放電部以外からは放電しにくい構造となり、安定してオゾンを発生させることができるという作用を有する。
【００３４】
また、請求項１２記載の発明は、樹脂製のベースに、リード線引き回しのための溝を形成した隔壁を設け、樹脂製のカバーを組み付けた時、該隔壁部を該樹脂製のカバーで覆うことにより、リード線の出口位置に制限されることなく、外部からのホコリ侵入を防止できるため、信頼性の高いオゾン発生器を提供することができるという作用を有する。
【００３５】
また、請求項１３記載の発明は、放電線組と対向した対向電極の長手方向両側に、放電線組との間隔を狭くするような振れ止めリブを、樹脂製のベースに形成したことにより、ホコリの侵入しにくい構造となり、安定してオゾンを発生させることができるという作用を有する。
【００３６】
また、請求項１４記載の発明は、樹脂製のベースに突起を設け、放電線組を形成する丸型端子の水平面部を、該突起の水平面部と接触させることにより、該丸型端子を水平に保持させることができ、簡単な構造で作業性も良く、丸型端子を確実に引っ掛けた安定した姿勢を保つことができるため、信頼性の高いオゾン発生器を提供することができるという作用を有する。
【００３７】
また、請求項１５記載の発明は、放電部を独立発泡で、中が空洞の柱状のゴムで囲み、一端の開口部を樹脂製のベースに接触させ、他端の開口部を、樹脂製のカバーの開口部と一致させることにより、  発生したオゾンが樹脂製のカバーの開口部以外から、漏れないようにすることができるため、オゾン発生器を配設した滅菌及び脱臭の必要な機器のオゾンを必要とする個所以外への、悪影響を防止できるという作用を有する。
【００３８】
また、請求項１６記載の発明は、樹脂製ベースの反挿入側の側面と、開口部を有した樹脂製カバーの挿入側の側面に、パッキンを接触させ、樹脂製あるいは金属製の押え板で押してシールすることにより、  発生したオゾンが樹脂製のカバーの開口部以外から、漏れないようにすることができるため、オゾン発生器を配設した滅菌及び脱臭の必要な機器のオゾンを必要とする個所以外への、悪影響を防止できるという作用を有する。
【００３９】
また、請求項１７記載の発明は、開口部を有した樹脂製カバーの反挿入側の側面と、樹脂製あるいは金属製の押え板に引っ掛け部を設け、該引っ掛け部を樹脂製あるいは金属製のバンドにより引き寄せ、シールしたことにより、  発生したオゾンが樹脂製のカバーの開口部以外から、漏れないようにすることができるため、オゾン発生器を配設した滅菌及び脱臭の必要な機器のオゾンを必要とする個所以外への、悪影響を防止できるという作用を有する。
【００４０】
（実施の形態）
以下、本発明の実施の形態について図面を参照しながら説明する。
【００４１】
図１〜４に示すように、滅菌装置（図示せず）などのオゾン発生部に配設されるオゾン発生器は、開口部１を有した樹脂製のカバー２と、このカバーの開口部側に設けられる放電線３と、この放電線３を張設可能とする引っ掛け穴の付いた丸型端子４を放電線３両端に圧着した放電線組５と、該放電線組５に電圧を供給する電源供給板６と、この放電線組５と対向した対向電極７を有したオゾン発生装置８を樹脂製のベース９に装着し、このオゾン発生装置８を構成する前記放電線組５にマイナス極１０が接続され、前記対向電極７にアース極１１が接続されるように形成した高電圧印加装置１２を備え、また前記樹脂製のカバー２の長手方向両側には、取付ステー１３ａ，１３ｂを設けている。
【００４２】
上記構成により、本発明のオゾン発生器の動作について説明する。
【００４３】
高電圧印加装置１２で発生したマイナスの高電圧を、マイナス極１０、電源供給板６の接続端子１４ａ、丸型端子４を介して印加された放電線３と、該高電圧印加装置１２のアース極１１から、接続端子１５ａを介し接続された対向電極７との間に、いわゆるコロナ放電が連続的に発生し、空気中の酸素分子が解離し、オゾンが連続して生成される。また前記樹脂製のカバー２の長手方向両側の取付ステー１３ａ，１３ｂにより、滅菌装置（図示せず）などのオゾン発生部に配設することができ、取り外して洗浄することもできることとなる。
【００４４】
その際、図５に示すように電源供給板６ａ，６ｂと対向電極７ａ，７ｂに複数の接続端子１４ａ，１４ｂ，１５ａ，１５ｂを、設けていると、接続端子１４ｂ、１４ｃと接続端子１５ｂ、１５ｃをそれぞれ電線で接続することにより、２組のオゾン発生装置８ａ、８ｂを連結することができる。必要によっては、さらにオゾン発生装置を連結することが可能であり、オゾン発生量の増加に対応できることとなる。
【００４５】
また、図６に示すように放電線組５に電圧を供給する電源供給板６に、電圧を供給すると共に、前記放電線組５を支える、引っ掛けるコの字形状の端子引掛部１６を設けたことにより、作業性も良く確実に電圧を供給できることとなる。
【００４６】
また、図７に示すように樹脂製のカバー２、樹脂製のベース９及びオゾン発生装置８で構成されるオゾン発生ユニット１７を、高電圧印加装置１２と分離して設置したことにより、複数の該オゾン発生ユニットを連結することができることとなる。
【００４７】
また、図８に示すように、放電線組５に張力を持たせる固定用部材１８を、板状のバネ材で形成し、電源供給板６の反対側に設けた、あるいは該電源供給板６に直接取付けたことにより、前記放電線組５に確実に張力を持たせることができることとなる。
【００４８】
また、図９に示すように、放電線組５に張力を持たせる固定用部材１９を、線状のバネ材でコイル状に形成し、前記電源供給板６の反対側に設けたたことにより、前記放電線組５に確実に張力を持たせることができることとなる。
【００４９】
また、図１０に示すように、放電線３と対向電極７の距離ａは、該放電線３と樹脂製のカバー２及び樹脂製のベース９の樹脂部とのそれぞれの距離ｂ，ｃよりも、小さくすることにより、該放電線３と該対向電極７間で構成される放電部以外では、放電しないこととなる。
【００５０】
また、図１１に示すように、樹脂製ベース９のバネ引っ掛け部のピン２０の形状を、円錐状に形成し平行溝２０ａあるいは丸穴２０ｂを設けたことにより、マイナスドライバーあるいは丸ピン等を使用し容易にバネを引っ掛けることができることとなる。
【００５１】
また、図１２に示すように、開口部１を有した樹脂製のカバー２に、脱臭フィルター２１を装着したことにより、より効果的に脱臭することができることとなる。
【００５２】
また、図１３に示すように、開口部１を有した樹脂製のカバー２に、集塵フィルター２２を装着したことにより、集塵効果のある機能性の高いオゾン発生器を提供することができることとなる。
【００５３】
また、図１４に示すように、開口部１を有した樹脂製のカバー２に、脱臭フィルター２１および集塵フィルター２２を装着したことにより、より効果的に脱臭することができ、かつ集塵効果のある機能性の高いオゾン発生器を提供することができることとなる。
【００５４】
また、図１５に示すように、放電線組５及び電源供給板６で形成される高電圧側と、アース極１１に接続された対向電極側の間に、放電部２３ａ，２３ｂ，２３ｃを除いて、絶縁体である樹脂製のベース９を配置することにより、前記高電圧側と前記対向電極側間は絶縁されているため、前記放電部以外、放電されないこととなり、たとえホコリが付着しても、前述のように前記高電圧側と前記対向電極側間は絶縁されているため、放電やトラッキングが発生しにくく、安定してオゾンを発生させることができることとなる。
【００５５】
また、図１６に示すように、樹脂製のベース９に、リード線引き回しのための溝２４を形成した隔壁部２５を設け、樹脂製のカバー２を組み付けた時、該隔壁部２５を該樹脂製のカバー２で覆うことにより、リード線をリード線巾より少し小さい巾の溝２４、隔壁部２５、リード線出口位置２６と通りオゾン発生ユニット１７の外側に出すと、隔壁２５内とオゾン発生ユニット１７内のオゾン発生装置８とは、隔離されることになり、リード線出口位置２６は、隔壁部２５内であれば出口位置をどこに設けても、外部からのホコリ侵入を防止できるため、信頼性の高いオゾン発生器を提供することができることとなる。
【００５６】
また、図１７に示すように、放電線組５と対向した対向電極７の長手方向両側に、放電線組５との間隔を狭くするような振れ止めリブ２７ａ，２７ｂを、樹脂製のベース９に形成したことにより、オゾン発生装置８内へは、ホコリが侵入しにくく、従ってホコリ侵入に伴うトラッキングも発生しにくいこととなり、正常な放電が維持され、安定してオゾンを発生させることができることとなる。
【００５７】
また、図１８に示すように、樹脂製のベース９に突起２８を設け、放電線組５を形成する丸型端子４の水平面部２９を、該突起２８の水平面部３０と接触させることにより、該丸型端子４を水平に保持させることができ、簡単な構造で作業性も良く安定した姿勢を保つことができるため、信頼性の高いオゾン発生器を提供することができることとなる。
【００５８】
また、図１９に示すように、放電部２３ａ，２３ｂ，２３ｃを独立発泡で、中が空洞の柱状のゴム３１で囲み、一端の開口部３２を樹脂製のベース９に接触させ、他端の開口部３３を、樹脂製のカバー２の開口部１と一致させることにより、発生したオゾンが樹脂製のカバー２の開口部１以外から、漏れないようにすることができるため、オゾン発生器を配設した滅菌及び脱臭の必要な機器のオゾンを必要とする個所以外への、悪影響を防止できることとなる。
【００５９】
また、図２０に示すように、樹脂製のベース９の反挿入側の側面３４と、開口部１を有した樹脂製のカバー２の挿入側の側面３５に、パッキン３６を接触させ、樹脂製あるいは金属製の押え板３７で押してシールすることにより、発生したオゾンが樹脂製のカバーの開口部以外から、漏れないようにすることができるため、オゾン発生器を配設した滅菌及び脱臭の必要な機器のオゾンを必要とする個所以外への、悪影響を防止できることとなる。
【００６０】
また、図２１に示すように、開口部１を有した樹脂製のカバー２の反挿入側の側面と、樹脂製あるいは金属製の押え板３７にそれぞれ引っ掛け部３８ａ，３８ｂを設け、該引っ掛け部３８ａ，３８ｂを樹脂製あるいは金属製のバンド３９により引き寄せ、シールしたことにより、発生したオゾンが樹脂製のカバーの開口部以外から、漏れないようにすることができるため、オゾン発生器を配設した滅菌及び脱臭の必要な機器のオゾンを必要とする個所以外への、悪影響を防止できることとなる。
【産業上の利用可能性】
【００６１】
本技術は、空気清浄機や脱臭機等、空気浄化の分野に幅広く適用できる。
【図面の簡単な説明】
【００６２】
【図１】本発明の実施の形態のオゾン発生器の構成を示す概略図
【図２】同オゾン発生器の構成を示す断面図
【図３】同放電線組の構成を示す概略図
【図４】同オゾン発生装置の構成を示す概略図
【図５】同オゾン発生装置の構成を示す概略図
【図６】同オゾン発生装置の構成を示す概略図（（ａ）概略図、（ｂ）概略図）
【図７】同オゾン発生ユニットの構成を示す図（（ａ）断面図、（ｂ）概略図）
【図８】同放電線組と固定用部材との関係を示す図（（ａ）概略図、（ｂ）概略図）
【図９】同放電線組と固定用部材との関係を示す概略図
【図１０】同オゾン発生器の構成を示す断面図
【図１１】同オゾン発生器の構成を示す概略図
【図１２】同オゾン発生器の構成を示す断面図
【図１３】同オゾン発生器の構成を示す断面図
【図１４】同オゾン発生器の構成を示す断面図
【図１５】同オゾン発生器の構成を示す図（（ａ）断面図、（ｂ）概略図）
【図１６】同オゾン発生器の構成を示す図（（ａ）概略図、（ｂ）断面図）
【図１７】同オゾン発生器の構成を示す概略図
【図１８】同オゾン発生器の構成を示す図（（ａ）概略図（ｂ）同放電線組の構成を示す概略図）
【図１９】同オゾン発生器の構成を示す断面図
【図２０】同オゾン発生器の構成を示す図（（ａ）概略図、（ｂ）断面図）
【図２１】同オゾン発生器の構成を示す概略図
【図２２】従来のオゾン発生器の構成を示す断面図
【符号の説明】
【００６３】
１      開口部
２      樹脂製のカバー
３      放電線
４      丸型端子
５      放電線組
６      電源供給板
７      対向電極
８      オゾン発生装置
８ａ    オゾン発生装置
８ｂ    オゾン発生装置
９      樹脂製のベース
１０    マイナス極
１１    アース極
１２    高電圧印加装置
１３ａ  取付ステー
１３ｂ  取付ステー
１４ａ  接続端子
１４ｂ  接続端子
１４ｃ  接続端子
１５ａ  接続端子
１５ｂ  接続端子
１５ｃ  接続端子
１６    端子引掛部
１７    オゾン発生ユニット
１８    固定用部材
１９    固定用部材
２０    ピン
２０ａ  平行溝
２０ｂ  丸穴
２１    脱臭フィルター
２２    集塵フィルター
２３ａ  放電部
２３ｂ  放電部
２３ｃ  放電部
２４    溝
２５    隔壁部
２６    リード線出口位置
２７ａ  振れ止めリブ
２７ｂ  振れ止めリブ
２８    突起
２９    水平面部
３０    水平面部
３１    ゴム
３２    開口部
３３    開口部
３４    側面
３５    側面
３６    パッキン
３７    押え板
３８ａ  引っ掛け部
３８ｂ  引っ掛け部
３９    バンド
【図１】
2008115044.tif 000003
【図２】
2008115044.tif 000004
【図３】
2008115044.tif 000005
【図４】
2008115044.tif 000006
【図５】
2008115044.tif 000007
【図６】
2008115044.tif 000008
【図７】
2008115044.tif 000009
【図８】
2008115044.tif 000010
【図９】
2008115044.tif 000011
【図１０】
2008115044.tif 000012
【図１１】
2008115044.tif 000013
【図１２】
2008115044.tif 000014
【図１３】
2008115044.tif 000015
【図１４】
2008115044.tif 000016
【図１５】
2008115044.tif 000017
【図１６】
2008115044.tif 000018
【図１７】
2008115044.tif 000019
【図１８】
2008115044.tif 000020
【図１９】
2008115044.tif 000021
【図２０】
2008115044.tif 000022
【図２１】
2008115044.tif 000023
【図２２】
2008115044.tif 000024